(57)【特許請求の範囲】
【請求項１】
着用者からの排泄物を受ける吸収性物品であって、
バックシート部材と、
前記バックシート部材上に重ねられて前記バックシート部材に外縁部が接合され、前記バックシート部材が露出する開口を着用者の股間部に対向する位置に有する吸収性シート部材と、
前記吸収性シート部材の左右両側部上において長手方向に伸び、弾性部材が前記長手方向に沿ってそれぞれ接合される一対の起立ギャザー部と、
前記開口の左右方向の両側において前記一対の起立ギャザー部に接合される一対の引張部材と、
を備え、
前記吸収性シート部材が、
前記長手方向における前記開口の少なくとも一方側に配置される吸収コアと、
前記吸収コアを被覆する透液性のコア被覆シートと、
を備え、
前記吸収コアと前記バックシート部材との間に前記開口から前記長手方向に広がるポケットが形成され、
前記開口の周囲において前記吸収コアが前記一対の起立ギャザー部に前記コア被覆シートを介して接合され、
前記一対の引張部材により、前記一対の起立ギャザー部が前記左右方向の外側に引っ張られた状態とすることができる、または、引っ張られた状態となっていることを特徴とする吸収性物品。
【請求項２】
請求項１に記載の吸収性物品であって、
前記一対の引張部材のそれぞれが、帯状または紐状であり、一端が起立ギャザー部に接合され、他端が、前記バックシート部材の側縁を越えて前記バックシート部材の外面に接合可能である、または、接合されていることを特徴とする吸収性物品。
【請求項３】
請求項２に記載の吸収性物品であって、
前記一対の引張部材の前記他端が、前記バックシート部材の外面に接合可能であり、
前記一対の引張部材が、前記一対の起立ギャザー部との接合位置から前記着用者の前側に対応する方向へと伸びることを特徴とする吸収性物品。
【請求項４】
請求項１ないし３のいずれかに記載の吸収性物品であって、
前記一対の引張部材が、弾性を有することを特徴とする吸収性物品。
【請求項５】
請求項４に記載の吸収性物品であって、
前記一対の引張部材のそれぞれが、弾性部材が接合された帯状の不織布であることを特徴とする吸収性物品。
【請求項６】
請求項１ないし５のいずれかに記載の吸収性物品であって、
前記吸収コアが、
前記長手方向における前記開口の前記一方側に配置される第１吸収コアと、
前記開口の前記左右方向の両側に配置される一対の第２吸収コアと、
を備え、
前記一対の第２吸収コアが前記一対の起立ギャザー部に前記コア被覆シートを介して接合されることを特徴とする吸収性物品。
【請求項７】
請求項６のいずれかに記載の吸収性物品であって、
前記第１吸収コアが、前記着用者の前側に配置される前部吸収コアであることを特徴とする吸収性物品。
【請求項８】
請求項７に記載の吸収性物品であって、
前記吸収コアが、前記着用者の後側に配置される第３吸収コアをさらに備え、
前記第３吸収コアと前記バックシート部材との間にもう１つのポケットが形成されることを特徴とする吸収性物品。
【請求項９】
請求項１ないし８のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の使い捨ておむつでは、およそ全長に亘る第１コアの前方部上に第２コアが設けられ、第１コアと第２コアとの間の空間が排泄物を収容するポケットとされる。特許文献１の使い捨ておむつでは、第２コアの前端が第１コア上に固定され、第２コアの両側部と股下域側の遊離端部との交差部位が防漏カフの自由縁部に連結されており、防漏カフの自由端に設けられた弾性伸縮糸が収縮して防漏カフが起立することにより、第２コアの遊離端部が第１コアから離間してポケットの開口が形成される。
【先行技術文献】
【特許文献】
【０００４】
【特許文献１】特開２００２−２０９９４１号公報
【発明の概要】
【発明が解決しようとする課題】
【０００５】
ところで、特許文献１の使い捨ておむつでは、ポケットの内部空間を大きくするためには、防漏カフが大きく起立する必要がある。このため、防漏カフが第２コアを持ち上げつつ大きく起立できるように、防漏カフの自由端に設けられた弾性伸縮糸による収縮力が大きくされる。しかしながら、収縮力を増大させるために弾性伸縮糸の本数を増加させると、比較的狭い領域内に複数の弾性伸縮糸を配置する必要があるため、使い捨ておむつの構造や製造工程が複雑化してしまう。また、収縮力を増大させるために弾性伸縮糸に強い張力を付与した状態で防漏カフに接合しようとすると、製造中に弾性伸縮糸が切れて使い捨ておむつの生産性が低下するおそれがある。
【０００６】
本発明は、上記課題に鑑みなされたものであり、吸収性物品のポケットの内部空間を容易に大きくすることを目的としている。
【課題を解決するための手段】
【０００７】
請求項１に記載の発明は、着用者からの排泄物を受ける吸収性物品であって、バックシート部材と、前記バックシート部材上に重ねられて前記バックシート部材に外縁部が接合され、前記バックシート部材が露出する開口を着用者の股間部に対向する位置に有する吸収性シート部材と、前記吸収性シート部材の左右両側部上において長手方向に伸び、弾性部材が前記長手方向に沿ってそれぞれ接合される一対の起立ギャザー部と、前記開口の左右方向の両側において前記一対の起立ギャザー部に接合される一対の引張部材とを備え、前記吸収性シート部材が、前記長手方向における前記開口の少なくとも一方側に配置される吸収コアと、前記吸収コアを被覆する透液性のコア被覆シートとを備え、前記吸収コアと前記バックシート部材との間に前記開口から前記長手方向に広がるポケットが形成され、前記開口の周囲において前記吸収コアが前記一対の起立ギャザー部に前記コア被覆シートを介して接合され、前記一対の引張部材により、前記一対の起立ギャザー部が前記左右方向の外側に引っ張られた状態とすることができる、または、引っ張られた状態となっている。
【０００８】
請求項２に記載の発明は、請求項１に記載の吸収性物品であって、前記一対の引張部材のそれぞれが、帯状または紐状であり、一端が起立ギャザー部に接合され、他端が、前記バックシート部材の側縁を越えて前記バックシート部材の外面に接合可能である、または、接合されている。
【０００９】
請求項３に記載の発明は、請求項２に記載の吸収性物品であって、前記一対の引張部材の前記他端が、前記バックシート部材の外面に接合可能であり、前記一対の引張部材が、前記一対の起立ギャザー部との接合位置から前記着用者の前側に対応する方向へと伸びる。
【００１０】
請求項４に記載の発明は、請求項１ないし３のいずれかに記載の吸収性物品であって、前記一対の引張部材が、弾性を有する。
【００１１】
請求項５に記載の発明は、請求項４に記載の吸収性物品であって、前記一対の引張部材のそれぞれが、弾性部材が接合された帯状の不織布である。
【００１２】
請求項６に記載の発明は、請求項１ないし５のいずれかに記載の吸収性物品であって、前記吸収コアが、前記長手方向における前記開口の前記一方側に配置される第１吸収コアと、前記開口の前記左右方向の両側に配置される一対の第２吸収コアとを備え、前記一対の第２吸収コアが前記一対の起立ギャザー部に前記コア被覆シートを介して接合される。
【００１３】
請求項７に記載の発明は、請求項６のいずれかに記載の吸収性物品であって、前記第１吸収コアが、前記着用者の前側に配置される前部吸収コアである。
【００１４】
請求項８に記載の発明は、請求項７に記載の吸収性物品であって、前記吸収コアが、前記着用者の後側に配置される第３吸収コアをさらに備え、前記第３吸収コアと前記バックシート部材との間にもう１つのポケットが形成される。
【００１５】
請求項９に記載の発明は、請求項１ないし８のいずれかに記載の吸収性物品であって、着用者が着用する外装物品の内側に取り付けられる補助吸収具である。
【発明の効果】
【００１６】
本発明では、吸収性物品のポケットの内部空間を容易に大きくすることができる。
【図面の簡単な説明】
【００１７】
【図１】吸収性物品の平面図である。
【図２】吸収性物品の断面図である。
【図３】吸収性物品の断面図である。
【図４】吸収性物品の断面図である。
【図５】吸収性物品の平面図である。
【図６】吸収性物品の平面図である。
【発明を実施するための形態】
【００１８】
図１は、本発明の一の実施の形態に係る吸収性物品１を長手方向（すなわち、図１中の上下方向）に広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００１９】
図１に示すように、吸収性物品１は、平面視において略矩形状である略シート状の本体部２、本体部２の長手方向に垂直な左右方向（本体部２の幅方向であり、図１中の左右方向に一致する。）の両側において長手方向のおよそ全長に亘って設けられた一対のサイドシート３、および、左右方向の両側において一対のサイドシート３上に設けられる一対の引張部材５を備える。
【００２０】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２１】
図２および図３はそれぞれ、吸収性物品１を、図１中に示すＡ−Ａの位置、および、Ｂ−Ｂの位置にて、吸収性物品１の長手方向に垂直な面で切断した断面図であり、図４は、吸収性物品１をＣ−Ｃの位置にて吸収性物品１の左右方向に垂直な面で切断した断面図である。なお、吸収性物品１では、本体部２およびサイドシート３の後方部２０３における構造は前方部２０１における構造とほぼ同様である。
【００２２】
図１ないし図３に示すように、一対のサイドシート３はそれぞれ、本体部２の左右両側部上に接合される帯状の固定部３３、固定部３３に連続するとともに少なくとも一部が起立するギャザー部３４、および、ギャザー部３４に長手方向に沿って接合される複数の起立ギャザー部弾性部材３２ａ〜３２ｃを備える。サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）を、長手方向に伸びる折り曲げ線にて２つ折りにし、折り重ねられた２つの部位の間に起立ギャザー部弾性部材３２ａ〜３２ｃを挟むことにより形成される。起立ギャザー部弾性部材３２ａ〜３２ｃとしては、例えば、ポリウレタン糸、帯状のポリウレタンフィルム、糸状または帯状の天然ゴム等が用いられ、本実施の形態ではポリウレタン糸が利用される。
【００２３】
ギャザー部３４は、長手方向の両端部にて本体部２上に接合される。吸収性物品１では、長手方向に沿ってそれぞれ接合される起立ギャザー部弾性部材３２ａ〜３２ｃが収縮することにより、ギャザー部３４の長手方向の両端部を除く部位３４１（以下、「起立ギャザー部３４１」という。）が、図２および図３に示すように、本体部２の側方において着用者側に向かって起立し、着用時に着用者の足の付け根近傍に当接する立体ギャザーが形成される。
【００２４】
図３に示すように、起立ギャザー部３４１には、自由端３４３から離間した位置に後述する側部吸収コア２２２が接合されており、起立ギャザー部弾性部材３２ｃは、起立ギャザー部３４１と側部吸収コア２２２との接合領域３４４に重なる。起立ギャザー部弾性部材３２ａ，３２ｂは、起立ギャザー部３４１の自由端３４３と接合領域３４４との間に配置される。本実施の形態では、起立ギャザー部弾性部材３２ａは、起立ギャザー部３４１のおよそ自由端３４３上に配置されて自由端３４３に沿って長手方向に伸びる。
【００２５】
図１ないし図４に示すように、本体部２は、バックシート部材２３、および、バックシート部材２３上（すなわち、バックシート部材２３の着用者側）に重ねられて外縁部がバックシート部材２３に接合される吸収性シート部材２０を備える。図１および図３に示すように、吸収性シート部材２０の長手方向の中央よりも後側（すなわち、図１中の下側）には、着用者の股間部に対向する位置に開口２５が形成されており、開口２５の幅は、吸収性物品１の幅よりも小さい。バックシート部材２３は、吸収性シート部材２０の開口２５から露出して着用者の股間部に直接対向する露出領域２３４を有する。開口２５の左右両側では、一対の起立ギャザー部３４１が吸収性シート部材２０の左右両側部上において長手方向に伸びる。
【００２６】
吸収性シート部材２０は、図１に示すように、吸収性物品１の着用時に着用者の前側（腹側）に配置される前部吸収コア２２１、開口２５の左右方向の両側に配置される一対の側部吸収コア２２２、および、着用者の後側に配置される後部吸収コア２２３を備える。前部吸収コア２２１の長手方向の長さは、後部吸収コア２２３の長手方向の長さよりも大きい。前部吸収コア２２１、一対の側部吸収コア２２２および後部吸収コア２２３は、吸収性シート部材２０の長手方向に連続して一体的に形成されており、以下の説明では、前部吸収コア２２１、一対の側部吸収コア２２２および後部吸収コア２２３をまとめて、「吸収コア２２」ともいう。図１中では、図の理解を容易にするために、吸収コア２２の輪郭を太い破線にて描く。
【００２７】
吸収性シート部材２０は、また、図２ないし図４に示すように、吸収コア２２のそれぞれの上面および下面（すなわち、前部吸収コア２２１、側部吸収コア２２２および後部吸収コア２２３のそれぞれの着用者側およびバックシート部材２３側）を被覆する透液性のコア被覆シート２１を備える。コア被覆シート２１は、吸収コア２２の上面を覆う第１被覆シート２１１、および、吸収コア２２の下面を覆う第２被覆シート２１２を備える。
【００２８】
一対の側部吸収コア２２２は、図３に示すように、開口２５の左右両側（すなわち、開口２５の周囲）において、一対の起立ギャザー部３４１の内面（すなわち、バックシート部材２３と対向する面）にコア被覆シート２１の第１被覆シート２１１を介して接合される。起立ギャザー部３４１の自由端３４３は、側部吸収コア２２２の左右方向の内側のエッジよりもさらに内側に位置する。換言すれば、吸収性シート部材２０の開口２５の左右両側の部位は、側部吸収コア２２２よりも内側に広がる起立ギャザー部３４１により覆われる。一対の起立ギャザー部３４１は、図１に示すように、平面視において前部吸収コア２２１および後部吸収コア２２３の両側部と重なっており、本実施の形態では、後部吸収コア２２３の両側部がコア被覆シート２１の第１被覆シート２１１を介して一対の起立ギャザー部３４１の内面に接合される。
【００２９】
吸収コア２２は、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成され、コア被覆シート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。本実施の形態では、吸収コア２２はパルプ繊維およびＳＡＰを含む。
【００３０】
コア被覆シート２１は、透液性のシート材料であり、着用者からの排泄物の水分を速やかに捕捉して吸収コア２２へと移動させる。コア被覆シート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布等）が利用される。なお、コア被覆シート２１として、セルロースやレーヨン、コットン等の親水性繊維により形成された不織布（例えば、スパンレース不織布）が利用されてもよい。
【００３１】
図１に示すように、前部吸収コア２２１の開口２５近傍のコアエッジ２２１１、および、開口２５の前部吸収コア２２１側の前部エッジ２５２は、左右方向の中央にて長手方向に凹状となる（すなわち、後部吸収コア２２３から離れる方向に凹状となる）凹状部を有する。また、後部吸収コア２２３の開口２５近傍のコアエッジ２２３１、および、開口２５の後部吸収コア２２３側の後部エッジ２５３も、左右方向の中央にて長手方向に凹状となる（すなわち、前部吸収コア２２１から離れる方向に凹状となる）凹状部を有する。なお、前部吸収コア２２１のコアエッジ２２１１、および、後部吸収コア２２３のコアエッジ２２３１はそれぞれ、開口２５の前部エッジ２５２および後部エッジ２５３に重なっていてもよい。換言すれば、前部吸収コア２２１のコアエッジ２２１１、および、後部吸収コア２２３のコアエッジ２２３１は開口２５に接していてもよい。
【００３２】
吸収性シート部材２０は、左右方向の中央領域において長手方向に沿って前部吸収コア２２１に接合される前部吸収コア弾性部材２４１、および、当該中央領域において長手方向に沿って後部吸収コア２２３に接合される後部吸収コア弾性部材２４３を備える。吸収性シート部材２０では、前部吸収コア弾性部材２４１が収縮することにより前部吸収コア２２１に長手方向の収縮力が作用し、後部吸収コア弾性部材２４３が収縮することにより後部吸収コア２２３に長手方向の収縮力が作用する。
【００３３】
前部吸収コア２２１には、上記中央領域においてコアエッジ２２１１から長手方向に沿って伸びるスリット２２１２（すなわち、前部吸収コア２２１においてパルプ繊維やＳＡＰが存在しない領域）が形成されており、スリット２２１２は前部吸収コア弾性部材２４１に重なる。したがって、前部吸収コア弾性部材２４１は、正確には、前部吸収コア２２１が設けられる領域において、前部吸収コア２２１の上面および下面を被覆する第１被覆シート２１１および第２被覆シート２１２に接合される（図２参照）。後部吸収コア２２３には、上記中央領域においてコアエッジ２２３１から長手方向に沿って伸びるスリット２２３２が形成されており、スリット２２３２は後部吸収コア弾性部材２４３に重なる。したがって、後部吸収コア弾性部材２４３は、正確には、後部吸収コア２２３が設けられる領域において、後部吸収コア２２３の上面および下面を被覆する第１被覆シート２１１および第２被覆シート２１２に接合される。
【００３４】
前部吸収コア２２１および後部吸収コア２２３では、スリット２２１２，２２３２が、周囲の部位よりも剛性が低い弱化線として設けられるが、スリット２２１２，２２３２に代えて、周囲の部位よりもパルプ繊維等の厚さが薄い、あるいは、パルプ繊維等の密度が低い弱化線が、前部吸収コア弾性部材２４１および後部吸収コア弾性部材２４３に重ねて設けられてもよい。
【００３５】
吸収性シート部材２０は、また、図１および図３に示すように、開口２５の左右方向の両側に長手方向に沿って配置される二対の（すなわち、左右２本ずつの）側部吸収コア弾性部材２４２を備える。側部吸収コア弾性部材２４２としては、例えば、ポリウレタン糸、帯状のポリウレタンフィルム、糸状または帯状の天然ゴム等が用いられ、本実施の形態では、ポリウレタン糸が使用される。
【００３６】
二対の側部吸収コア弾性部材２４２は、平面視において一対の側部吸収コア２２２に重なっており、側部吸収コア２２２のバックシート部材２３に対向する面に配置される。本実施の形態では、各側部吸収コア弾性部材２４２は、側部吸収コア２２２とコア被覆シート２１の第２被覆シート２１２との間に配置され、側部吸収コア２２２および第２被覆シート２１２に伸張状態にて接合されて側部吸収コア２２２に収縮力を作用させる。側部吸収コア弾性部材２４２の長手方向の前側の部位は前部吸収コア２２１に重なっており、後側の部位は後部吸収コア２２３に重なっている。
【００３７】
バックシート部材２３は、図２ないし図４に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上に積層された親水性シート２３２を備える。図２ないし図４では、図示の都合上、吸収シート２３３を太実線にて示している。
【００３８】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート部材２３に到達した排泄物の水分等が、本体部２の外側にしみ出すのを防止する。本実施の形態では、外装シート２３１として撥水性または不透液性の不織布が利用される。なお、外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００３９】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維により形成される不織布、親水処理した疎水性繊維により形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００４０】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００４１】
吸収性物品１では、上述のように、吸収性シート部材２０の外縁部がバックシート部材２３に接合され、吸収コア２２のバックシート部材２３と対向する面がバックシート部材２３と非接合とされる。これにより、図２および図４に示すように、前部吸収コア２２１とバックシート部材２３との間（すなわち、吸収性シート部材２０の前部吸収コア２２１に対応する部位とバックシート部材２３との間）に、開口２５から長手方向の前側に広がる前部ポケット２６が形成され、図３に示すように、一対の側部吸収コア２２２とバックシート部材２３との間に、開口２５から左右方向に広がる一対の側部ポケット２８が形成される。また、図４に示すように、前部ポケット２６と同様に、後部吸収コア２２３とバックシート部材２３との間に、開口２５から長手方向の後側に広がる後部ポケット２７が形成される。一対の側部ポケット２８は、前部ポケット２６および後部ポケット２７と連続している。
【００４２】
図１に示す吸収性物品１では、着用者から排泄された軟便等の排泄物が、開口２５を介してバックシート部材２３へと向かい、バックシート部材２３の露出領域２３４にて受けられる。露出領域２３４にて受けられた排泄物は、前部ポケット２６、側部ポケット２８および後部ポケット２７の内部空間へと移動して収容される。本実施の形態では、開口２５が吸収性シート部材２０の長手方向の中央よりも後側に設けられており、上述のように、前部吸収コア２２１が後部吸収コア２２３よりも長くなっている。このため、前部ポケット２６の長手方向の長さが後部ポケット２７の長手方向の長さよりも大きくなり、前部ポケット２６が、排泄物を主に収容する主ポケットとなる。
【００４３】
上述のように、吸収性物品１では、一対の引張部材５が一対のサイドシート３上に設けられる。各引張部材５は本体部２の長手方向に伸びる帯状の部材である。図３に示すように、一対の引張部材５はそれぞれ、２層の帯状の不織布５１の間に３本の引張部弾性部材５２がホットメルト接着剤等により接合された構造を有し、長手方向に延びる３本の引張部弾性部材５２は左右方向におよそ等間隔にて配列される。引張部弾性部材５２は長手方向に伸長された状態にて不織布５１に接合されて不織布５１と共に収縮しており、これにより、一対の引張部材５が長手方向に関する伸縮性（すなわち、弾性）を有する。引張部材５が引張された状態では、引張部材５の長手方向の全長は、本体部２およびサイドシート３の長手方向の全長にほぼ等しい。なお、後述するように、引張部材５は前方部２０１においてサイドシート３に接合されていないため、図２では、引張部材５の図示を省略している。
【００４４】
図５は、引張部材５とサイドシート３との接合領域に平行斜線を付して示す図である。図５に示すように、引張部材５の長手方向の後端側の部位は、サイドシート３の後縁（すなわち、本体部２の後方部２０３上に位置する長手方向の端のエッジ）から開口２５の左右両側に位置する部位に亘ってホットメルト接着剤等により接合される。以下の説明では、引張部材５のサイドシート３に接合される部位を「引張部材固定部５３」という。一対の引張部材５の引張部材固定部５３は、開口２５の左右方向の両側において、一対の起立ギャザー部３４１の側部吸収コア２２２が接合される面とは反対側の面である上面に接合される。一対の引張部材固定部５３の左右方向の内側のエッジは、一対の起立ギャザー部３４１の内側のエッジである自由端３４３におよそ重なっており、一対の引張部材５は、開口２５の左右両側の部位を一対の起立ギャザー部３４１と共に覆う。なお、引張部材固定部５３のサイドシート３に対する接合は、熱融着や超音波圧着により行われてもよい。
【００４５】
引張部材５の引張部材固定部５３よりも前側の部位（すなわち、長手方向の前端側の部位）は、サイドシート３および他の構成に接合されておらず、以下の説明では、当該非接合とされる部位を「引張部材自由部５４」という。引張部材自由部５４の先端部には略矩形の止着部５５が設けられる。止着部５５は、面ファスナのフック部材であり、図５に示すように引張部材自由部５４がサイドシート３上に配置された状態においてサイドシート３に対向し、サイドシート３に着脱自在に止着される。
【００４６】
吸収性物品１が使用される際には、図６に示すように、一対の引張部材５の引張部材自由部５４が、左右方向の外側かつ前方（すなわち、着用者の前側に対応する方向）へと引っ張られる。伸張状態とされた引張部材自由部５４は、本体部２の側縁（バックシート部材２３の側縁でもある。）を越えて着用者とは反対側へと折り返され、引張部材自由部５４の先端部に設けられた止着部５５が、前方部２０１においてバックシート部材２３の外装シート２３１（図２参照）の外面に止着される。上述のように、止着部５５は面ファスナのフック部材であり、外装シート２３１は不織布であるため、止着部５５は、バックシート部材２３の外面である外装シート２３１に着脱自在に接合可能である。引張部材自由部５４の止着部５５がバックシート部材２３に接合された状態では、一対の引張部材５は、一対の起立ギャザー部３４１との接合位置から左右方向の外側かつ前方に伸びており、引張部材自由部５４の収縮力により、一対の起立ギャザー部３４１の開口２５近傍の部位（特に、開口２５の左右両側に位置する部位）が、左右方向の外側かつ前方に引っ張られた状態とされる。
【００４７】
上述のように、吸収性物品１では、図３に示す一対の側部吸収コア２２２が一対の起立ギャザー部３４１の内面（すなわち、バックシート部材２３と対向する面）にコア被覆シート２１を介して接合される。このため、一対の起立ギャザー部弾性部材３２ａ、および、もう一対の起立ギャザー部弾性部材３２ｂが収縮することにより、起立ギャザー部３４１が大きく起立するとともに側部吸収コア２２２がバックシート部材２３から大きく離間する。これにより、開口２５近傍における吸収性シート部材２０とバックシート部材２３との間の厚さ方向の距離を大きく維持することができる。
【００４８】
吸収性物品１では、また、図６に示すように、一対の引張部材５により一対の起立ギャザー部３４１の開口２５近傍の部位が左右方向に引っ張られた状態とされる。これにより、側部吸収コア２２２が起立ギャザー部３４１と共に引っ張り上げられてバックシート部材２３からさらに大きく離間する。また、側部吸収コア２２２と一体的に形成された前部吸収コア２２１および後部吸収コア２２３のそれぞれの開口２５近傍の部位もバックシート部材２３から大きく離間する。その結果、前部ポケット２６、側部ポケット２８および後部ポケット２７の内部空間を容易に大きくすることができ、排泄物をこれらのポケットに確実に収容して保持することができるため、排泄物が着用者の肌に広範囲に亘って付着することが防止される。
【００４９】
このように、吸収性物品１は、着用者の肌の比較的狭い範囲のみを覆うにも拘わらず排泄物を確実に収容して保持することができるため、使い捨ておむつ等の外装物品の内側に取り付けられて容易に交換可能な補助吸収具に特に適している。
【００５０】
ところで、吸収性物品１の着用者は、仰臥位や側臥位または座位等の体位を取ることが多いため、着用者の前側には体圧がほとんど加わらない。吸収性物品１では、上述のように、着用者の前側に配置される前部吸収コア２２１とバックシート部材２３との間に形成された前部ポケット２６が、排泄物を主に収容する主ポケットとされる。したがって、吸収性物品１は、仰臥位や側臥位または座位等の体位を取る着用者からの排泄物の収容に特に適しているといえる。
【００５１】
吸収性物品１では、帯状の引張部材５の一端である引張部材固定部５３が起立ギャザー部３４１に接合され、他端である引張部材自由部５４がバックシート部材２３の外面に接合されることにより、起立ギャザー部３４１を左右方向の外側に容易に引っ張ることができる。その結果、側部吸収コア２２２、並びに、前部吸収コア２２１および後部吸収コア２２３のそれぞれの開口２５近傍の部位をバックシート部材２３から容易に大きく離間させることができる。
【００５２】
吸収性物品１を仰臥位の着用者に装着する際には、吸収性物品１の後方部２０３が着用者の臀部の下に配置される。吸収性物品１では、上述のように、引張部材５が起立ギャザー部３４１上の接合位置から前方に伸びるため、後方部２０３が着用者の臀部の下に配置された状態でも引張部材５を引っ張ってバックシート部材２３の外面に容易に止着することができる。また、引張部材自由部５４を引っ張ることにより起立ギャザー部３４１の着用者に対する位置を調整し、起立ギャザー部３４１を着用者の脚の付け根に密着する位置に容易に配置することができる。
【００５３】
吸収性物品１では、引張部材５が弾性（伸縮性）を有することにより、引張部材５の起立ギャザー部３４１を引っ張る力を安定させることができる。また、引張部材５が、引張部弾性部材５２が接合された帯状の不織布５１であるため、引張部材５の製造が容易であるとともに製造コストが低減される。
【００５４】
吸収性物品１では、長手方向に伸びる二対の側部吸収コア弾性部材２４２を一対の側部吸収コア２２２に重ねて配置することにより、一対の側部吸収コア２２２に収縮力を作用させ、側部吸収コア２２２をバックシート部材２３からより大きく離間させることができる。また、側部吸収コア弾性部材２４２を側部吸収コア２２２のバックシート部材２３に対向する面に配置することにより、側部吸収コア２２２をバックシート部材２３からさらに大きく離間させることができる。なお、吸収性シート部材２０には一対の側部吸収コア弾性部材２４２のみが設けられてもよい。この場合、一対の側部吸収コア弾性部材２４２は、左右方向において開口２５近傍（すなわち、側部吸収コア２２２の左右方向の中央よりも開口２５に近い側）に配置されることが好ましく、これにより、側部ポケット２８の開口２５近傍の部位をバックシート部材２３からより大きく離間させることができる。
【００５５】
一対の起立ギャザー部３４１では、上述のように、長手方向に伸びる一対の起立ギャザー部弾性部材３２ｃを、一対の起立ギャザー部３４１と一対の側部吸収コア２２２との接合領域３４４に重ねて配置することにより、一対の起立ギャザー部３４１の起立を大きくし、側部吸収コア２２２をバックシート部材２３からより大きく離間させることができる。
【００５６】
吸収性物品１では、前部吸収コア２２１および後部吸収コア２２３の左右方向の中央領域に、長手方向に伸びる前部吸収コア弾性部材２４１および後部吸収コア弾性部材２４３が接合されて前部吸収コア２２１および後部吸収コア２２３に収縮力を作用させることにより、前部吸収コア２２１および後部吸収コア２２３の中央領域がバックシート部材２３から大きく離間する。さらに、前部吸収コア２２１および後部吸収コア２２３の左右方向の中央領域に、前部吸収コア弾性部材２４１および後部吸収コア弾性部材２４３にそれぞれ重なるスリット２２１２，２２３２が設けられることにより、前部吸収コア２２１および後部吸収コア２２３が着用者側に凸状となるように変形しやすくなるため、前部吸収コア２２１および後部吸収コア２２３の中央領域がバックシート部材２３からより大きく離間する。その結果、前部ポケット２６および後部ポケット２７の収容力が増大する。
【００５７】
以上、本発明の実施の形態について説明してきたが、本発明は上記実施の形態に限定されるものではなく、様々な変更が可能である。
【００５８】
例えば、バックシート部材２３の外装シート２３１がプラスチックフィルム等により形成される場合には、引張部材自由部５４の止着部５５として、面ファスナのフック部材に代えて粘着材層が設けられ、当該粘着材層により外装シート２３１に引張部材自由部５４が着脱自在に接合されてもよい。また、引張部材自由部５４は、吸収性物品１の製造時にバックシート部材２３の側縁を越えてバックシート部材２３の外面にホットメルト接着剤等により強固に接合され、一対の引張部材５により一対の起立ギャザー部３４１が左右方向の外側に引っ張られた状態となっていてもよい。この場合であっても、引張部材５により起立ギャザー部３４１を左右方向の外側に容易に引っ張り、前部ポケット２６、側部ポケット２８および後部ポケット２７の内部空間を容易に大きくすることができる。
【００５９】
引張部材５は、必ずしも左右方向の外側かつ前方に引っ張られる必要はなく、例えば、左右方向に平行に外側に引っ張られてバックシート部材２３の外装シート２３１の外面に止着されてもよい。また、引張部材固定部５３がサイドシート３の前縁（すなわち、本体部２の前方部２０１上に位置する長手方向のエッジ）から開口２５の左右両側に位置する部位に亘ってホットメルト接着剤等により接合され、引張部材自由部５４が左右方向の外側かつ後方に引っ張られて後方部２０３において外装シート２３１の外面に接合されてもよい。
【００６０】
引張部材５は、必ずしも不織布５１に引張部弾性部材５２が接合された構造である必要はなく、例えば、弾性を有する伸縮性不織布が引張部材５として利用されてもよい。後部吸収コア２２３をバックシート部材２３から大きく離間させるという観点からは引張部材自由部５４および引張部材固定部５３の双方が弾性を有することが好ましいが、後部吸収コア２２３がバックシート部材２３から十分に大きく離間する場合は、引張部材固定部５３には弾性は付与されなくてもよい。なお、引張部材固定部５３は開口３１０の左右両側のみに設けられてもよい。吸収性物品１では、引張部材５として、弾性を有しない単なる不織布やプラスチックフィルム等が利用されてもよい。
【００６１】
上記実施の形態では、引張部材５は帯状の部材であるが、引張部材５は紐状の部材であってもよい。例えば、左右方向に伸びるとともに長手方向に配列された複数の弾性糸が各引張部材５として利用され、当該複数の弾性糸が、開口２５の左右両側においてサイドシート３の内側のエッジから外側に向かって接合されてもよい。
【００６２】
本体部２の吸収コア２２は必ずしもパルプ繊維を含む必要はなく、比較的厚く剛性が高い透液性の不織布やプラスチックフィルム上にホットメルト接着剤等によりＳＡＰが直接接合されたものが吸収コア２２として利用されてもよい。吸収性物品１では、例えば、前部吸収コア２２１、一対の側部吸収コア２２２および後部吸収コア２２３がそれぞれ個別に形成され、開口２５を形成するように隣接して配置されて（すなわち、コア被覆シート２１の開口の周囲に配置されて）コア被覆シート２１により被覆されてもよい。
【００６３】
吸収性物品１では、排泄物の収容力を大きくするためには、吸収性シート部材２０とバックシート部材２３との間に前部ポケット２６、側部ポケット２８および後部ポケット２７が設けられることが好ましい。ただし、排泄物の収容力が十分確保されるのであれば、主ポケットである前部ポケット２６、および、一対の側部ポケット２８のみが吸収性シート部材２０とバックシート部材２３との間に設けられ、後部ポケット２７は省略されてもよい。後部ポケット２７が設けられない場合、吸収性シート部材２０の開口２５よりも後側の部位は、およそ全面に亘ってバックシート部材２３に接合される。なお、この場合、吸収性シート部材２０から後部吸収コア２２３が省略されてもよい。
【００６４】
一方、吸収性物品１が、腹臥位等、前側に体圧が加わりやすい体位を取ることが多い着用者に使用される場合、後部吸収コア２２３とバックシート部材２３との間に形成される後部ポケット２７が主ポケットとされてもよい。後部ポケット２７が主ポケットとされる場合、前部ポケット２６や前部吸収コア２２１は省略されてもよい。
【００６５】
換言すれば、吸収コア２２のうち、着用者の前側および後側の一方（すなわち、長手方向における開口２５の一方側）に配置されてバックシート部材２３との間で主ポケットを形成する部位を第１吸収コアと呼び、バックシート部材２３との間で一対の側部ポケット２８を形成する一対の側部吸収コア２２２を一対の第２吸収コアと呼び、着用者の前側および後側の他方に配置されて主ポケットおよび側部ポケット２８ではない体圧が加わるもう１つのポケットをバックシート部材２３との間に形成する部位を第３吸収コアと呼ぶと、吸収性物品１では、第３吸収コアおよび第３吸収コアとバックシート部材２３との間のポケットは省略されてもよい。
【００６６】
吸収性物品１では、一対の側部吸収コア２２２が一対の起立ギャザー部３４１に接合されることにより、引張部材５による力を吸収コア２２に直接的に効率良く伝達し、吸収コア２２とバックシート部材２３との間に形成されるポケットの内部空間をより大きくすることができる。ただし、ポケットの内部空間を十分大きくすることができるのであれば、吸収コア２２から一対の側部吸収コア２２２は省略されてもよい。すなわち、吸収コア２２は長手方向における開口２５の少なくとも一方側に配置されていればよい。この場合であっても、開口２５の周囲において吸収コア２２が一対の起立ギャザー部３４１にコア被覆シート２１を介して接合され、一対の引張部材５により、一対の起立ギャザー部３４１が左右方向の外側に引っ張られた状態とする、または、引っ張られた状態となっていることにより、吸収コア２２とバックシート部材２３との間に形成されるポケットの内部空間を容易に大きくすることができる。
【００６７】
吸収性シート部材２０では、コア被覆シート２１は１枚のシート部材であってもよく、この場合、当該シート部材の吸収コア２２の着用者側を覆う部位が第１被覆シート２１１に相当し、吸収コア２２のバックシート部材２３側を覆う部位が第２被覆シート２１２に相当する。また、コア被覆シート２１は、少なくとも吸収コア２２の着用者側を覆っていればよい。
【００６８】
バックシート部材２３は、少なくとも撥水性または不透液性の外装シート２３１を備えていればよく、親水性シート２３２および吸収シート２３３のいずれか一方または両方が省略されてもよい。
【００６９】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するテープタイプの使い捨ておむつに適用されてよい。
【符号の説明】
【００７０】
１  吸収性物品
５  引張部材
２０  吸収性シート部材
２１  コア被覆シート
２２  吸収コア
２３  バックシート部材
２５  開口
２６  前部ポケット
２７  後部ポケット
２８  側部ポケット
３２ａ〜３２ｃ  起立ギャザー部弾性部材
５１  不織布
５２  引張部弾性部材
５３  引張部材固定部
５４  引張部材自由部
２２１  前部吸収コア
２２２  側部吸収コア
２２３  後部吸収コア
３４１  起立ギャザー部
【図１】
0005414617.tif 000002
【図２】
0005414617.tif 000003
【図３】
0005414617.tif 000004
【図４】
0005414617.tif 000005
【図５】
0005414617.tif 000006
【図６】
0005414617.tif 000007